(57)【要約】  発光装置（１００）は、レーザ光を出射する半導体レーザ素子（１）と、半導体レーザ素子（１）から出射したレーザ光が励起光として照射されることにより蛍光を発する蛍光体（５）と、レーザ光および蛍光を入射する入射面（８ａ）を有し、レーザ光と蛍光とを分離する分光素子（８）とを備え、分光素子（８）は、入射するレーザ光および蛍光のうちの一方を透過し、他方を反射し、分光素子（８）の入射面（８ａ）は、少なくともレーザ光の入射方向に対して傾斜している。
2017203977.tif 000002
【特許請求の範囲】
【請求項１】
レーザ光を出射するレーザ光源と、
前記レーザ光源から出射したレーザ光が励起光として照射されることにより蛍光を発する蛍光体と、
前記レーザ光および前記蛍光を入射する入射面を有し、前記レーザ光と前記蛍光とを分離する分光素子とを備え、
前記分光素子は、入射する前記レーザ光および前記蛍光のうちの一方を透過し、他方を反射し、
前記分光素子の前記入射面は、少なくとも前記レーザ光の入射方向に対して傾斜している
発光装置。
【請求項２】
前記レーザ光源から出射するレーザ光のピーク波長は、４２５ｎｍ以下である
請求項１記載の発光装置。
【請求項３】
前記分光素子は、入射する前記レーザ光および前記蛍光のうち、前記レーザ光を透過し、前記蛍光を反射する
請求項１または２に記載の発光装置。
【請求項４】
前記分光素子の入射面と当該入射面に入射する前記蛍光の入射方向とのなす角の角度をαとすると、
前記蛍光は、前記分光素子によって、前記入射面とのなす角がαの角度の方向に反射する
請求項３に記載の発光装置。
【請求項５】
前記分光素子は、入射角を調整する機能を有し、
前記蛍光は、０°＜α＜９０°の範囲にて調整された所定の角度の方向に進行する
請求項４に記載の発光装置。
【請求項６】
前記分光素子は、誘電体多層膜を有する
請求項１〜５のいずれか１項に記載の発光装置。
【請求項７】
さらに、前記分光素子と離間して配置され、前記レーザ光と前記蛍光とを前記分光素子に向けて反射させる反射鏡を備える、
請求項１〜６のいずれか１項に記載の発光装置。
【請求項８】
前記反射鏡は、放物面鏡であり、
前記蛍光体は、前記放物面鏡の焦点近傍に配置されている
請求項７に記載の発光装置。
【請求項９】
前記反射鏡は、楕円面鏡であり、
前記蛍光体は、前記楕円面鏡の第１焦点近傍に配置されており、
前記分光素子は、前記楕円面鏡の第２焦点近傍に配置されている
請求項７に記載の発光装置。
【請求項１０】
前記反射鏡の少なくとも一部に開口が設けられており、
前記レーザ光源は、前記反射鏡の凸面側に配置されており、
前記レーザ光は、前記開口を通過して前記蛍光体に照射される
請求項７〜９のいずれか１項に記載の発光装置。
【請求項１１】
さらに、前記レーザ光を検知するセンサを備え、
前記分光素子は、前記反射鏡と前記センサとの間に配置されている
請求項７〜１０のいずれか１項に記載の発光装置。
【請求項１２】
さらに、前記分光素子を透過した前記レーザ光の光路上に、前記レーザ光によって蛍光する所定のパターンの蛍光体を備える
請求項１〜１１のいずれか１項に記載の発光装置。
【請求項１３】
請求項１〜１２のいずれか１項に記載の発光装置を備える
照明装置。
【発明の詳細な説明】
【技術分野】
【０００１】
本開示は、発光装置および照明装置に関し、特に、レーザ光源からのレーザ光を蛍光体に照射することで蛍光体から発する蛍光を照明光として利用する発光装置、および、この発光装置を備えるヘッドライトまたはスポット照明等の照明装置に関する。
【背景技術】
【０００２】
近年、半導体レーザ素子からのレーザ光を蛍光体に照射し、波長変換された蛍光を照明光として利用する発光装置の技術開発が盛んに行われている。このような発光装置として、従来、特許文献１に示される照明装置が知られている。以下、特許文献１に開示された照明装置について、図１２を用いて説明する。【０００３】
図１２に示すように、照明装置１００１は、青紫色のレーザ光を照射するレーザ照射装置１００２と、レーザ照射装置１００２からのレーザ光が照射される蛍光体１００３と、レーザ光の光軸Ｌ上およびその周辺部に配置された光散乱材１００４と、反射鏡１００５とを有している。【０００４】
照明装置１００１は、レーザ光により蛍光体１００３を励起して可視光（例えば、白色光）に変換し、その可視光を照明光として利用するものであり、例えば、車輌用前照灯などに用いられる。【０００５】
レーザ照射装置１００２は、例えば、青紫色のレーザ光を照射する半導体レーザ素子１００２ａと、集光レンズ１００２ｂとによって構成されている。蛍光体１００３は、青紫色のレーザ光により励起されて青緑色の光を発する蛍光材料と、青紫色のレーザ光により励起されて赤色の光を発する蛍光材料とを含む。これにより、青紫色のレーザ光が蛍光体１００３に照射することで、青緑色の光と赤色の光とが混ざり合って白色の蛍光が得られる。【０００６】
反射鏡１００５は、例えば金属製の放物面鏡であり、蛍光体１００３により変換された可視光を前方（図１２では、紙面右方）に反射する凹部１００５ａを有する。反射鏡１００５の頂点周辺領域には複数の透孔１００５ｂが設けられており、反射鏡１００５の外部から透孔１００５ｂを通して、凹部１００５ａの内方に配置された蛍光体１００３にレーザ光が照射される。光散乱材１００４は、蛍光体１００３の前方に位置するように、カバー１００６の後面に接着されている。反射鏡１００５の前端面を覆う透明樹脂製のカバー１００６は、反射鏡１００５内にホコリなどが侵入することを抑制する機能を有する。また、カバー１００６の外面には、ピーク波長が４０５ｎｍのレーザ光を吸収して白色光を透過するフィルタ１００７が設けられている。フィルタ１００７によりレーザ光の９９％は吸収されるが、レーザ光の１％は外部に漏洩することが避けられない。そのため、照明装置１００１では、フィルタ１００７の後方に光散乱材１００４を配置している。これにより、レーザ光は、光散乱材１００４を透過する際に散乱し、コヒーレンスが十分に低減してからフィルタ１００７を透過する。したがって、レーザ光の外部漏洩を１００％防止することができる。
【先行技術文献】
【特許文献】
【０００７】
【特許文献１】特開２０１２−６４５９７号公報
【発明の概要】
【発明が解決しようとする課題】
【０００８】
しかしながら、図１２に示される従来の照明装置１００１の構成では、レーザ光の出射方向と照明光（蛍光による白色光）の出射方向とが同じであるため、照明装置１００１が搭載された車両が交通事故などで強い衝撃を受けた場合、反射鏡１００５が損傷して蛍光体１００３や光散乱材１００４、フィルタ１００７が同時に外れてしまい、レーザ光が照明光の照射領域に直接漏洩してしまうという課題がある。【０００９】
また、蛍光体１００３のみが外れた場合、光散乱材１００４でレーザ光を散乱させたとしても励起光密度が極めて高い領域が存在するために吸収型のフィルタ１００７の一部が溶融したり、フィルタ１００７でレーザ光を９９％カットできた場合でも数十ｍＷ以上のレーザ光が照明光の照射領域に漏洩したりするという課題がある。【００１０】
本開示は、このような課題を解決するものであり、レーザ光が蛍光の照射領域に漏洩することを抑制できる発光装置および照明装置を提供することを目的とする。
【課題を解決するための手段】
【００１１】
上記課題を解決するために、本開示に係る発光装置の一態様は、レーザ光を出射するレーザ光源と、前記レーザ光源から出射したレーザ光が励起光として照射されることにより蛍光を発する蛍光体と、前記レーザ光および前記蛍光を入射する入射面を有し、前記レーザ光と前記蛍光とを分離する分光素子とを備え、前記分光素子は、入射する前記レーザ光および前記蛍光のうちの一方を透過し、他方を反射し、前記分光素子の前記入射面は、少なくとも前記レーザ光の入射方向に対して傾斜している。【００１２】
この構成により、レーザ光と蛍光とを分離して異なる方向に進行させることができる。これにより、発光装置の構成部材の一部が損傷を受けた場合でも、レーザ光が蛍光の照射領域に漏洩することを抑制することができる。【００１３】
また、本開示に係る発光装置の一態様において、前記レーザ光源から出射するレーザ光のピーク波長は、４２５ｎｍ以下であるとよい。【００１４】
この場合、分光素子によって、４２５ｎｍ以下の短波長のレーザ光を透過または反射させることができる。これにより、青色光を含む可視光領域の蛍光を白色光として利用することができる。また、人体にとって有害な４２５ｎｍ以下の短波長のレーザ光が蛍光の照射領域に漏洩することを抑制することができるので、安全性に優れた発光装置を実現できる。【００１５】
また、本開示に係る発光装置の一態様において、前記分光素子は、入射する前記レーザ光および前記蛍光のうち、前記レーザ光を透過し、前記蛍光を反射するとよい。【００１６】
これにより、レーザ光を反射し、蛍光を透過するような分光素子を用いる場合と比べて、より安全性に優れた発光装置を実現できる。【００１７】
また、本開示に係る発光装置の一態様において、前記分光素子の入射面と当該入射面に入射する前記蛍光の入射方向とのなす角の角度をαとすると、前記蛍光は、前記分光素子によって、前記入射面とのなす角がαの角度の方向に反射するとよい。【００１８】
これにより、分光素子において、入射面に蛍光が入射する方向（蛍光体からの蛍光の出射方向）と異なる方向にレーザ光を分離させながら、蛍光を所定の方向に反射させることができる。【００１９】
この場合、前記分光素子は、前記入射角を調整する機能を有し、前記蛍光は、０°＜α＜９０°の範囲にて調整された所定の角度の方向に進行するとよい。【００２０】
これにより、分光素子において蛍光を所望の方向に調整して進行させることができる。【００２１】
また、本開示に係る発光装置の一態様において、前記分光素子は、誘電体多層膜を有するとよい。【００２２】
誘電体多層膜は、光密度の高いレーザ光が入射した場合でも破壊耐性が高いので、信頼性に優れた発光装置を実現できる。また、誘電体多層膜を用いることで、レーザ光の高い透過率と蛍光の高い反射率との両立を図ることができる。【００２３】
また、本開示に係る発光装置の一態様において、さらに、前記分光素子と離間して配置され、前記レーザ光と前記蛍光とを前記分光素子に向けて反射させる反射鏡を備えていてもよい。【００２４】
これにより、蛍光体で生成した蛍光を効率よく分光素子に集光することができる。しかも、反射鏡を分光素子と離間して配置しているので、分光素子の入射面とレーザ光の入射方向とのなす角が鋭角であっても、反射鏡と干渉することなく分光素子を配置することが可能となる。【００２５】
また、本開示に係る発光装置の一態様において、前記反射鏡は、放物面鏡であり、前記蛍光体は、前記放物面鏡の焦点近傍に配置されているとよい。【００２６】
これにより、蛍光体で発生した蛍光を、効率よく集光し、平行光として分光素子に向けて出射させることができる。【００２７】
また、本開示に係る発光装置の一態様において、前記反射鏡は、楕円面鏡であり、前記蛍光体は、前記楕円面鏡の第１焦点近傍に配置されており、前記分光素子は、前記楕円面鏡の第２焦点近傍に配置されているとよい。【００２８】
これにより、レーザ光および蛍光を楕円面鏡の第２焦点に効率よく集光させることができるので、入射面の面積が小さな分光素子であってもレーザ光と蛍光とを容易に分離することができる。【００２９】
また、本開示に係る発光装置の一態様において、前記反射鏡の少なくとも一部に開口が設けられており、前記レーザ光源は、前記反射鏡の凸面側に配置されており、前記レーザ光は、前記開口を通過して前記蛍光体に照射されるとよい。【００３０】
これにより、反射鏡における蛍光の出射方向とは反対側にレーザ光源が配置されるので、蛍光の投射像にレーザ光源の影が生じることを回避することができる。【００３１】
また、本開示に係る発光装置の一態様において、さらに、前記レーザ光を検知するセンサを備え、前記分光素子は、前記反射鏡と前記センサとの間に配置されているとよい。【００３２】
これにより、分光素子の反射鏡に対する面と反対側に、レーザ光を検知するセンサが配置されるので、このセンサにてレーザ光のパワー（出力）をモニタすることで、蛍光体の脱落などの不具合を検知することができ、より安全性の高い発光装置を実現できる。【００３３】
また、本開示に係る発光装置の一態様において、さらに、前記分光素子を透過した前記レーザ光の光路上に、前記レーザ光によって蛍光する所定のパターンの蛍光体を備えているとよい。【００３４】
これにより、所定のパターンの蛍光体の蛍光による発光強度を外部から目視確認することができるので、発光装置の動作状況を簡単な構成にて常時把握することができる。【００３５】
また、本開示に係る照明装置の一態様は、上記いずれかの発光装置を備える。【００３６】
このように構成された照明装置によれば、レーザ光が蛍光の照射領域に漏洩することを抑制できる照明装置を実現できる。
【発明の効果】
【００３７】
本開示によれば、レーザ光が蛍光の照射領域に漏洩することを抑制できる発光装置および照明装置を実現できる。
【図面の簡単な説明】
【００３８】
【図１】図１は、実施の形態１に係る発光装置の概略構成を示す断面図である。
【図２Ａ】図２Ａは、光の波長に対する人間の視感度を示す図である。
【図２Ｂ】図２Ｂは、実施の形態１に係る発光装置で用いられる分光素子の透過特性を示す図である。
【図３】図３は、実施の形態１に係る発光装置におけるレーザ光および蛍光の進路を示す図である。
【図４】図４は、実施の形態２に係る発光装置の概略構成を示す断面図である。
【図５】図５は、実施の形態２に係る発光装置におけるレーザ光および蛍光の進路を示す図である。
【図６】図６は、実施の形態３に係る発光装置の概略構成を示す断面図である。
【図７】図７は、実施の形態３に係る発光装置におけるレーザ光および蛍光の進路を示す図である。
【図８】図８は、実施の形態３の変形例に係る発光装置の概略構成を示す断面図である。
【図９】図９は、実施の形態４に係る発光装置の概略構成を示す断面図である。
【図１０】図１０は、実施の形態４に係る発光装置におけるレーザ光および蛍光の進路を示す図である。
【図１１】図１１は、実施の形態５に係る照明装置の概略構成を示す模式図である。
【図１２】図１２は、従来の発光装置の概略構成を示す断面図である。
【発明を実施するための形態】
【００３９】
以下、本開示の実施の形態について、図面を参照しながら説明する。なお、以下に説明する実施の形態は、いずれも本開示の好ましい一具体例を示すものである。したがって、以下の実施の形態で示される、数値、形状、材料、構成要素、および、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００４０】
また、各図は模式図であり、必ずしも厳密に図示されたものではない。したがって、各図において縮尺等は必ずしも一致していない。なお、各図において、実質的に同一の構成に対しては同一の符号を付しており、重複する説明は省略又は簡略化する。
【００４１】
（実施の形態１）
［発光装置の構成］
実施の形態１に係る発光装置１００について、図１を用いて説明する。図１は、実施の形態１に係る発光装置１００の概略構成を示す断面図である。
【００４２】
図１に示すように、本実施の形態に係る発光装置１００は、半導体レーザ素子１と、ヒートシンク２と、集光レンズ３と、透明基板４と、蛍光体５と、投影レンズ６と、筐体７と、分光素子８とを備えている。
【００４３】
半導体レーザ素子１は、レーザ光を出射するレーザ光源の一例であり、例えば窒化物半導体の発光層を備える窒化物半導体発光素子である。本実施の形態において、半導体レーザ素子１から出射するレーザ光のピーク波長は、４２５ｎｍ以下である。具体的には、半導体レーザ素子１は、ピーク波長が４０５ｎｍの青紫色光のレーザ光を出射するＩｎＧａＮ系のレーザダイオード素子である。
【００４４】
ヒートシンク２は、例えばアルミニウムまたは銅等の金属部材である。ヒートシンク２の一端に半導体レーザ素子１が固定されている。半導体レーザ素子１から出射するレーザ光は、ヒートシンク２とは反対側に進行する。
【００４５】
集光レンズ３は、例えば石英等の透光性部材からなり、半導体レーザ素子１のレーザ光の出射側に配置される。半導体レーザ素子１から出射したレーザ光は、集光レンズ３により集光される。集光レンズ３は、入射したレーザ光を集光するだけでなく、ビーム整形（例えばトップハット型照射分布に整形）する機能を併せ持つマイクロレンズ等の単数または複数の光学部品群からなる光学系により構成されていてもよい。
【００４６】
透明基板４は、蛍光体５を支持する蛍光体支持部である。透明基板４は、例えば、ＧａＮ基板、ＳｉＣ基板、ＡｌＮ基板、または、ダイアモンド基板等の高熱伝導な基板であるとよい。透明基板４の表面には、半導体レーザ素子１から出射するレーザ光を透過し、蛍光体５から発生する蛍光を反射する膜（ダイクロイックフィルター膜等）が形成されているとよい。
【００４７】
蛍光体５は、入射する光を励起光として蛍光を発する蛍光体光学素子である。本実施の形態において、蛍光体５は、半導体レーザ素子１から出射したレーザ光が励起光として照射されることにより蛍光を発する。蛍光体５を構成する蛍光体材料は、例えば、青色発光用ＳＭＳ（Ｓｒ３ＭｇＳｉ２Ｏ８：Ｅｕ２＋）蛍光材料と、黄色発光用ＢＳＳＯＮ（（Ｂａ，Ｓｒ）Ｓｉ２Ｏ２Ｎ２：Ｅｕ２＋）蛍光材料との混合体である。青色発光用ＳＭＳは、半導体レーザ素子１のレーザ光により励起されて青色光を発する。黄色発光用ＢＳＳＯＮは、半導体レーザ素子１のレーザ光により励起されて黄色光を発する。青色の光と黄色の光との合成光は、人間には白色に見える。したがって、半導体レーザ素子１のレーザ光が蛍光体５に照射することで、蛍光体５からは、青色光と黄色光とが混ざり合った合成光として白色光が出射される。つまり、蛍光体５では白色の蛍光が得られる。
【００４８】
投影レンズ６は、例えばガラスまたは石英等の透光性部材からなり、蛍光体５から出射した蛍光（白色光）を集光して所望の領域に投影する。本実施の形態において、投影レンズ６は、蛍光体５から出射した蛍光（白色光）を平行光化して分光素子８の入射面８ａに投影する。
【００４９】
筐体７は、内部が空洞の筒状体であり、例えばアルミニウム等の金属材料によって構成された鏡筒である。筐体７には、半導体レーザ素子１、ヒートシンク２、集光レンズ３、透明基板４、蛍光体５および投影レンズ６が収納されている。具体的には、筐体７の筒軸方向の一端部に、半導体レーザ素子１が配置されたヒートシンク２が固定されており、さらに、半導体レーザ素子１のレーザ光の出射方向に沿って、集光レンズ３、透明基板４、蛍光体５および投影レンズ６がこの順で配置されている。集光レンズ３、透明基板４および投影レンズ６は、筐体７に固定されている。
【００５０】
分光素子８は、半導体レーザ素子１から出射したレーザ光と蛍光体５から出射した蛍光（白色光）とを分離する。具体的には、分光素子８は、入射面８ａを有しており、入射面８ａにおいてレーザ光と蛍光とを分離している。
【００５１】
入射面８ａには、半導体レーザ素子１から出射したレーザ光および蛍光体５から出射した蛍光が入射する。本実施の形態において、入射面８ａには、蛍光体５から出射したレーザ光と蛍光が入射する。つまり、入射面８ａには、半導体レーザ素子１から出射して蛍光体５に入射したレーザ光のうち蛍光体５に吸収されずに透過したレーザ光と、半導体レーザ素子１から出射したレーザ光によって蛍光体５で生成される蛍光とが入射する。
【００５２】
また、分光素子８は、分光素子８に入射するレーザ光および蛍光のうちの一方を透過し、他方を反射する特性を有する。本実施の形態において、分光素子８は、分光素子８に入射するレーザ光および蛍光のうち、レーザ光を透過し、蛍光を反射する特性を有する。このような特性を有する分光素子８は、例えば、ダイクロイックフィルタであり、半導体レーザ素子１のレーザ光および蛍光体５の蛍光に対して透明な性質を有する透明基板と、この透明基板の上にＳｉＯ２層とＴｉＯ２層とを交互に積層した誘電体多層膜とによって構成される。
【００５３】
分光素子８の入射面８ａは、少なくともレーザ光の入射方向に対して傾斜している。つまり、入射面８ａは、少なくともレーザ光が入射面８ａに入射する方向に対して傾斜している。具体的には、入射面８ａは、蛍光体５に入射したレーザ光のうち蛍光体５で吸収されなかったレーザ光が入射する方向に対して傾斜している。
【００５４】
また、本実施の形態では、蛍光体５で吸収されなかったレーザ光の進行方向（光軸）と蛍光体５から出射する蛍光の光軸とが同じであるので、入射面８ａは、蛍光体５から出射する蛍光の光軸に対しても傾斜している。
【００５５】
より具体的には、半導体レーザ素子１の発光点と蛍光体５の中心とを結ぶ線の延長線（図１の一点鎖線）と、入射面８ａとのなす角の角度をαとすると、分光素子８は、０°＜α＜９０°の関係を満たすように配置されている。つまり、分光素子８は、前記延長線に対して角度αだけ傾けて配置されている。角度αは、分光素子８の入射面８ａに対するレーザ光および蛍光の入射角である。
【００５６】
なお、分光素子８は、筐体７と離れた位置に配置されているが、これに限るものではない。例えば、分光素子８は、筐体７に固定されていてもよい。
【００５７】
次に、分光素子８の透過特性と半導体レーザ素子１の発振波長との関係について、図２Ａおよび図２Ｂを用いて説明する。図２Ａは、光の波長に対する人間の視感度を示す図である。図２Ｂは、実施の形態１に係る発光装置１００で用いられる分光素子８（ダイクロイックフィルタ）の透過特性を示す図である。
【００５８】
図２Ａに示すように、人間は波長４２５ｎｍ以下の光に対する視感度が極めて小さい。そこで、本実施の形態では、半導体レーザ素子１の発振ピーク波長を４２５ｎｍ以下（具体的には４０５ｎｍ）に設定し、分光素子８の透過特性を、図２Ｂに示すように、波長４２５ｎｍ未満の光を透過し、かつ、波長４２５ｎｍ以上の光を透過しない（すなわち、反射する）ように設計した。このように設計された分光素子８は、半導体レーザ素子１からのレーザ光を透過し、かつ、蛍光体５で発生した蛍光（可視光）を損失させることなく反射する。このため、分光素子８による光の利用効率の低下は起こらない。
【００５９】
［発光装置の動作］
次に、実施の形態１に係る発光装置１００の動作について、図３を用いて説明する。図３は、実施の形態１に係る発光装置１００におけるレーザ光および蛍光の進路を示す図である。
【００６０】
図３に示すように、半導体レーザ素子１から出射した青紫色のレーザ光５１は、集光レンズ３により発散光から収束光に成形された後、透明基板４を透過して蛍光体５に照射される。このとき、半導体レーザ素子１の無効電力（投入電力−光出力）による発熱は、ヒートシンク２から放熱される。なお、図示していないが、ヒートシンク２に空冷フィンまたはペルチェ素子による排熱機構を設けることで、ヒートシンク２の放熱性をさらに高めることができる。
【００６１】
蛍光体５に照射されたレーザ光５１の一部は、蛍光体５で吸収されて青色光と黄色光とに変換され、青色光と黄色光とが混色することで合成された合成光である白色の蛍光となる。蛍光体５で発生した白色の蛍光６１は、投影レンズ６で集光されて筐体７の外部に出射されて、分光素子８に入射する。本実施の形態において、分光素子８は、蛍光体５から出射する蛍光を反射する特性を有するので、分光素子８に入射した蛍光６１は、分光素子８で反射する。
【００６２】
ここで、半導体レーザ素子１の発光点と蛍光体５の中心とを結ぶ線の延長線と入射面８ａとのなす角（α）は、分光素子８の入射面８ａと入射面８ａに入射する蛍光６１の入射方向（蛍光体からの蛍光の出射方向）とのなす角と同じである。このため、分光素子８に入射した白色の蛍光６１は、分光素子８によって、入射面８ａとのなす角がαの角度の方向に反射する。つまり、分光素子８において反射した白色の蛍光６１は、入射面８ａとのなす角がαの角度の方向に反射して、白色の照明光６２として所定の被照射面に照射される。
【００６３】
一方、蛍光体５に照射されたレーザ光５１の他の一部は、蛍光体５で吸収されずに蛍光体５を透過する。蛍光体５で吸収されなかったレーザ光５２は、投影レンズ６を介して筐体７の外部に出射されて、分光素子８に入射する。本実施の形態において、分光素子８は、半導体レーザ素子１からのレーザ光を透過する特性を有するので、分光素子８に入射したレーザ光５２は、分光素子８で反射されずに、分光素子８を透過する。つまり、分光素子８に入射したレーザ光５２は、分光素子８を透過して白色の照明光６２とは異なる方向に進行する。
【００６４】
［まとめ］
以上、本実施の形態における発光装置１００は、レーザ光５１を出射する半導体レーザ素子１と、半導体レーザ素子１から出射したレーザ光５１が励起光として照射されることにより蛍光６１を発する蛍光体５と、レーザ光５２および蛍光６１を入射する入射面８ａを有し、レーザ光５２と蛍光６１とを分離する分光素子８とを備え、分光素子８は、入射するレーザ光５２および蛍光６１のうちの一方を透過し、他方を反射し、分光素子８の入射面８ａは、少なくともレーザ光５２の入射方向に対して傾斜している。
【００６５】
このように、入射面８ａがレーザ光５２の入射方向に対して傾斜するように配置された分光素子８を用いることで、レーザ光５２と蛍光６１とを分離して異なる方向に進行させることができる。具体的には、分光素子８に入射するレーザ光５２と蛍光６１とを、分光素子８によって照明光６２とレーザ光５２とに分離して異なる方向に進行させることができる。これにより、蛍光体５または分光素子８などの発光装置１００の構成部材の一部が損傷を受けた場合でも、レーザ光５２が蛍光（照明光６２）の照射領域に漏洩することを抑制することができる。
【００６６】
また、本実施の形態において、分光素子８は、入射するレーザ光５２および蛍光６１のうち、レーザ光５２を透過し、蛍光６１を反射している。
【００６７】
これにより、レーザ光５２を反射し、蛍光６１を透過するような分光素子を用いる場合と比べて、より安全性に優れた発光装置を実現できる。
【００６８】
また、本実施の形態において、半導体レーザ素子１から出射するレーザ光５１のピーク波長は、４２５ｎｍ以下である。
【００６９】
この場合、分光素子８によって、４２５ｎｍ以下の短波長のレーザ光５１を透過して反射させることができる。これにより、４２５ｎｍ以下の短波長のレーザ光５１によって蛍光体５を励起することで青色光を含む可視光領域の蛍光を生成することができ、この蛍光を白色光として利用することができる。また、４２５ｎｍ以下の短波長のレーザ光５１は人体にとって有害であるが、蛍光体５に入射したレーザ光５１のうち蛍光体５を透過したレーザ光５２は分光素子８によって蛍光６１（照明光６２）と分離されるので、レーザ光５２が照明光６２（蛍光）の照射領域に漏洩することを抑制できる。したがって、安全性に優れた発光装置を実現できる。
【００７０】
また、本実施の形態において、分光素子８の入射面８ａに対する蛍光６１の入射角をαとすると、蛍光６１は、分光素子８によって、入射面８ａとのなす角がαの角度の方向に反射している。
【００７１】
これにより、分光素子８において、入射面８ａに蛍光６１が入射する方向（蛍光体５からの蛍光６１の出射方向）と異なる方向にレーザ光５１を分離させながら、蛍光６１を所定の方向に反射させることができる。
【００７２】
また、本実施の形態において、分光素子８は、誘電体多層膜を有する。
【００７３】
誘電体多層膜は、光密度の高いレーザ光が入射した場合でも破壊耐性が高いので、信頼性に優れた発光装置を実現できる。また、誘電体多層膜を透過する光の波長と誘電体多層膜を反射する光の波長とを誘電体多層膜の光学長（各層の膜厚×各層の屈折率）によって設計することで、９５％を超えるレーザ光の高い透過率と、可視光波長領域の全域にわたって９５％以上の高い蛍光反射率とを実現することができる。
【００７４】
（実施の形態２）
［発光装置の構成］
次に、実施の形態２に係る発光装置２００について、図４を用いて説明する。図４は、実施の形態２に係る発光装置２００の概略構成を示す断面図である。
【００７５】
実施の形態２における発光装置２００は、実施の形態１と同様に、半導体レーザ素子１、ヒートシンク２、集光レンズ３、蛍光体５、筐体７および分光素子８を備える。発光装置２００は、さらに、反射基板９および反射鏡２０を備える。
【００７６】
反射基板９は、蛍光体５を支持するとともに、蛍光体５から出射する蛍光およびレーザ光を反射する。
【００７７】
反射鏡２０は、表面に反射面を有する反射体である。反射鏡２０は、所定形状の構造体の表面に反射面となる金属薄膜が形成されたものであってもよいし、反射鏡２０全体が金属製であってもよい。
【００７８】
本実施の形態において、反射鏡２０は、放物面鏡である。つまり、反射鏡２０の反射面は、回転放物面の凹面である。また、反射鏡２０の少なくとも一部には開口２０ａが設けられている。具体的には、開口２０ａは、反射鏡２０の頂部に設けられた貫通孔である。
【００７９】
反射鏡２０の凸面側には、筐体７が配置されている。筐体７の内部には、実施の形態１と同様に、半導体レーザ素子１、ヒートシンク２、および、集光レンズ３が配置されている。したがって、半導体レーザ素子１、ヒートシンク２、および、集光レンズ３は、反射鏡２０の凸面側に配置されている。具体的には、反射鏡２０は、開口２０ａが集光レンズ３と対向するように配置されている。
【００８０】
反射鏡２０の凹面側には、反射基板９に支持された蛍光体５が配置されている。蛍光体５は、放物面鏡である反射鏡２０の焦点近傍に配置されている。
【００８１】
半導体レーザ素子１から出射したレーザ光は、開口２０ａを通過して蛍光体５に照射される。具体的には、集光レンズ３で集光されたレーザ光が、開口２０ａを通過して反射鏡２０の焦点を通るよう凹面側に導光される。これにより、蛍光体５が励起されて蛍光を発する。反射鏡２０は、蛍光体５からの蛍光と蛍光体５で吸収されなかったレーザ光とを分光素子８に向けて反射する。
【００８２】
反射鏡２０と分光素子８とは、離間して配置されている。具体的には、分光素子８は、反射鏡２０の投光面側の離れた位置において、半導体レーザ素子１の発光点と蛍光体５の中心とを結ぶ線の延長線（図４の一点鎖線）と、入射面８ａとのなす角をαとすると、０°＜α＜９０°の関係を満たすように配置されている。つまり、分光素子８は、前記延長線に対して角度αだけ傾けて配置されている。
【００８３】
［発光装置の動作］
次に、実施の形態２に係る発光装置２００の動作について、図５を用いて説明する。図５は、実施の形態２に係る発光装置２００におけるレーザ光および蛍光の進路を示す図である。
【００８４】
図５に示すように、半導体レーザ素子１から出射した青紫色のレーザ光５１は、集光レンズ３により発散光から収束光に成形された後、反射鏡２０の開口２０ａを通過して、蛍光体５に照射される。
【００８５】
蛍光体５に照射されたレーザ光５１の一部は、蛍光体５で吸収されて青色光と黄色光とに変換され、青色光と黄色光とが混色することで合成された合成光である白色の蛍光となる。蛍光体５で発生した白色の蛍光６１は、反射鏡２０の凹面（反射面）で反射されて平行光化され、反射鏡２０の外部に出射されて分光素子８に入射する。このとき、反射基板９が配置されているので、蛍光体５から全方位的に出射する蛍光６１の全てを、反射基板９によって反射鏡２０の内面に反射させて、分光素子８に入射させることができる。
【００８６】
本実施の形態でも、分光素子８は、蛍光体５から出射する蛍光を反射する特性を有するので、分光素子８に入射した蛍光６１は、分光素子８で反射する。具体的には、実施の形態１と同様に、分光素子８において反射した白色の蛍光６１は、入射面８ａとのなす角がαの角度の方向に反射して、白色の照明光６２として所定の被照射面に照射される。
【００８７】
一方、蛍光体５に照射されたレーザ光５１の他の一部は、蛍光体５で吸収されない。蛍光体５で吸収されなかったレーザ光５２は、蛍光体５または反射基板９で反射された後に反射鏡２０の凹面で反射され、反射鏡２０の外部に出射されて分光素子８に入射する。
【００８８】
本実施の形態においても、分光素子８は、半導体レーザ素子１からのレーザ光を透過する特性を有するので、分光素子８に入射したレーザ光５２は、分光素子８で反射されずに、分光素子８を透過する。つまり、分光素子８に入射したレーザ光５２は、分光素子８を透過して白色の照明光６２とは異なる方向に進行する。
【００８９】
［まとめ］
以上、本実施の形態における発光装置２００は、実施の形態１と同様の構成を有する。したがって、実施の形態１と同様の効果を奏することができる。つまり、レーザ光５２が蛍光（照明光６２）の照射領域に漏洩することを抑制することができる。
【００９０】
また、本実施の形態における発光装置２００では、分光素子８と離間して配置され、レーザ光５１と蛍光６１とを分光素子８に向けて反射させる反射鏡２０を備えている。
【００９１】
これにより、蛍光体５で全方位的に出射する蛍光６１を効率よく分光素子８を集光することができる。特に、本実施の形態では、反射基板９を配置しているので、蛍光体５で全方位的に出射する蛍光６１を極めて効率よく分光素子８を集光することができる。しかも、反射鏡２０を分光素子８と離間して配置しているので、分光素子８の入射面８ａとレーザ光５２の入射方向とのなす角が鋭角であっても、反射鏡２０と干渉することなく分光素子８を配置することが可能となる。
【００９２】
また、本実施の形態において、反射鏡２０は、放物面鏡であり、蛍光体５は、放物面鏡の焦点近傍に配置されている。
【００９３】
これにより、蛍光体５で発生した蛍光６１を、効率よく集光し、平行光として分光素子８に向けて出射させることができる。
【００９４】
また、本実施の形態において、反射鏡２０の少なくとも一部に開口２０ａが設けられており、半導体レーザ素子１は、反射鏡２０の凸面側に配置されており、レーザ光５１は、開口２０ａを通過して蛍光体５に照射される。
【００９５】
これにより、反射鏡２０における蛍光６１の出射方向とは反対側に半導体レーザ素子１が配置されるので、蛍光６１の投射像に半導体レーザ素子１の影が生じることを回避することができる。
【００９６】
なお、本実施の形態では、蛍光体５で発生させた白色の蛍光６１を反射鏡２０で平行光化する例を示したが、反射鏡２０の焦点近傍でレーザ光５１の光軸に沿って蛍光体５を動かすことによって、白色の蛍光６１の収束化および発散化の調整を行ってもよい。これにより、所望のサイズの白色の照明光６２を得ることができる。
【００９７】
（実施の形態３）
［発光装置の構成］
次に、実施の形態３に係る発光装置３００について、図６を用いて説明する。図６は、実施の形態３に係る発光装置３００の概略構成を示す断面図である。
【００９８】
図６に示す本実施の形態における発光装置３００と図４に示す実施の形態２における発光装置２００とは、反射鏡の形状が異なる。具体的には、上記実施の形態２では、反射鏡２０として放物面鏡を用いていたのに対して、本実施の形態では、反射鏡３０として楕円面鏡を用いている。つまり、本実施の形態における発光装置３００は、上記実施の形態２における発光装置２００において、反射鏡２０が反射鏡３０に置き換えた構成となっている。
【００９９】
反射鏡３０は、表面に反射面を有する反射体である。楕円面鏡である反射鏡３０の反射面は、回転楕円面の凹面である。また、反射鏡３０の少なくとも一部には開口３０ａが設けられている。具体的には、開口３０ａは、反射鏡３０の長軸の頂部に設けられた貫通孔である。
【０１００】
なお、反射鏡３０は、所定形状の構造体の表面に反射面となる金属薄膜が形成されたものであってもよいし、反射鏡３０全体が金属製であってもよい。
【０１０１】
反射基板９に支持された蛍光体５は、反射鏡３０（楕円面鏡）の第１焦点（一次焦点）近傍に配置されている。また、分光素子８は、反射鏡３０（楕円面鏡）の第２焦点（二次焦点）近傍に配置されている。第１焦点および第２焦点は、反射鏡３０を構成する回転楕円体の焦点である。
【０１０２】
［発光装置の動作］
次に、実施の形態３に係る発光装置３００の動作について、図７を用いて説明する。図７は、実施の形態３に係る発光装置３００におけるレーザ光および蛍光の進路を示す図である。
【０１０３】
図７に示すように、半導体レーザ素子１から出射した青紫色のレーザ光５１は、集光レンズ３により発散光から収束光に成形された後、反射鏡３０の開口３０ａを通過して、反射鏡３０の第１焦点近傍に配置された蛍光体５に照射される。
【０１０４】
蛍光体５に照射されたレーザ光５１の一部は、蛍光体５で吸収されて青色光と黄色光とに変換され、青色光と黄色光とが混色することで合成された合成光である白色の蛍光となる。蛍光体５で発生した白色の蛍光６１は、反射鏡３０の凹面（反射面）で反射された後、反射鏡３０の外部に収束光として放射され、反射鏡３０を構成する回転楕円体の第２焦点に集光される。この第２焦点近傍には分光素子８が配置されているので、第２焦点に集光された白色の蛍光６１は、分光素子８に入射する。このとき、反射基板９が配置されているので、蛍光体５から全方位的に出射する蛍光６１の全てを、反射基板９によって反射鏡２０の内面に反射させて、分光素子８に入射させることができる。
【０１０５】
本実施の形態でも、分光素子８は、蛍光体５から出射する蛍光を反射する特性を有するので、分光素子８に入射した蛍光６１は、分光素子８で反射する。具体的には、実施の形態１と同様に、分光素子８において反射した白色の蛍光６１は、入射面８ａとのなす角がαの角度の方向に反射して、白色の照明光６２として所定の被照射面に照射される。
【０１０６】
一方、蛍光体５に照射されたレーザ光５１の他の一部は、蛍光体５で吸収されない。蛍光体５で吸収されなかったレーザ光５２は、蛍光体５または反射基板９で反射された後に反射鏡３０の凹面で反射され、反射鏡３０の外部に出射されて分光素子８に入射する。
【０１０７】
本実施の形態においても、分光素子８は、半導体レーザ素子１からのレーザ光を透過する特性を有するので、分光素子８に入射したレーザ光５２は、分光素子８で反射されずに、分光素子８を透過する。つまり、分光素子８に入射したレーザ光５２は、分光素子８を透過して白色の照明光６２とは異なる方向に進行する。
【０１０８】
［まとめ］
以上、本実施の形態における発光装置３００は、実施の形態１、２と同様の構成を有する。したがって、実施の形態１、２と同様の効果を奏することができる。つまり、レーザ光５２が蛍光（照明光６２）の照射領域に漏洩することを抑制できる等の効果を奏する。
【０１０９】
また、本実施の形態において、反射鏡３０は、楕円面鏡であり、蛍光体５は、楕円面鏡の第１焦点近傍に配置されており、分光素子８は、楕円面鏡の第２焦点近傍に配置されている。
【０１１０】
これにより、楕円面鏡の第１焦点から出射したレーザ光および蛍光を楕円面鏡の第２焦点に効率よく集光させることができるので、入射面の面積が小さな分光素子８であっても分光素子８に入射したレーザ光５２と蛍光６１とを容易に分離することができる。
【０１１１】
（実施の形態３の変形例）
図８は、実施の形態３の変形例に係る発光装置３００Ａの概略構成を示す断面図である。
【０１１２】
図８に示すように、本変形例における発光装置３００Ａは、上記実施の形態における発光装置３００に対して、さらに、レーザ光を検知するセンサ４０を備える。
【０１１３】
センサ４０は、分光素子８の反射鏡３０に対する面（入射面８ａ）と反対側に配置されている。つまり、分光素子８が、反射鏡３０とセンサ４０との間に配置されている。センサ４０は、分光素子８を透過したレーザ光５２の光路上に位置している。
【０１１４】
本変形例では、センサ４０によってレーザ光のパワーをモニタすることで、蛍光体５の脱落などの不具合を検知することができ、より安全性の高い発光装置を実現できる。
【０１１５】
なお、本変形例では、レーザ光のパワーをセンサ４０によりモニタする例について説明したが、センサ４０のかわりに、分光素子８を透過したレーザ光５２の光路上に、レーザ光５２によって蛍光する所定のパターンの蛍光体を配置してもよい。
【０１１６】
これにより、所定のパターンの蛍光体の蛍光による発光強度を外部から目視確認することができるので、発光装置の動作状況を簡単な構成にて常時把握することができる。
【０１１７】
なお、本変形例については、他の実施の形態に適用してもよい。つまり、分光素子８を透過したレーザ光５２の光路上にセンサ４０または所定のパターンの蛍光体を配置する構成については、他の実施の形態における発光装置に適用してもよい。
【０１１８】
（実施の形態４）
［発光装置の構成］
次に、実施の形態４に係る発光装置４００について、図９を用いて説明する。図９は、実施の形態４に係る発光装置４００の概略構成を示す断面図である。
【０１１９】
図９に示す本実施の形態における発光装置４００と図６に示す実施の形態３における発光装置３００とは、半導体レーザ素子１の位置が異なる。
【０１２０】
具体的には、本実施の形態において、半導体レーザ素子１は、反射鏡３０（楕円面鏡）の凹面側に配置されている。つまり、半導体レーザ素子１は、出射したレーザ光５１が反射鏡２０の凹面（反射面）に直接入射するように配置されている。なお、半導体レーザ素子１は、筐体７内に配置されているので、筐体７も反射鏡３０の凹面側に配置されている。
【０１２１】
反射基板９に支持された蛍光体５は、上記実施の形態３と同様に、反射鏡３０の第１焦点（一次焦点）近傍に配置されている。また、半導体レーザ素子１は、半導体レーザ素子１の発光点が反射鏡３０の第２焦点（二次焦点）近傍に位置するように配置されている。
【０１２２】
本実施の形態において、分光素子８は、反射鏡３０と半導体レーザ素子１との間で、かつ、反射鏡３０の第２焦点近傍に設置されているとよい。つまり、分光素子８は、筐体７と干渉しない範囲内で、第２焦点（つまり半導体レーザ素子１）にできるだけ近い位置に配置するとよい。
【０１２３】
なお、本実施の形態において、上記実施の形態３と異なり、反射鏡３０には開口３０ａが設けられていない。
【０１２４】
［発光装置の動作］
次に、実施の形態４に係る発光装置４００の動作について、図１０を用いて説明する。図１０は、実施の形態４に係る発光装置４００におけるレーザ光および蛍光の進路を示す図である。
【０１２５】
図１０に示すように、半導体レーザ素子１から出射した青紫色のレーザ光５１は、集光レンズ３により発散光から収束光に成形された後、反射鏡３０の反射面（凹面）に向けて出射される。レーザ光５１は、反射鏡３０の反射面（凹面）の一点で反射され、反射鏡３０の第１焦点近傍に配置された蛍光体５に照射される。
【０１２６】
蛍光体５に照射されたレーザ光５１の一部は、蛍光体５で吸収されて青色光と黄色光とに変換され、青色光と黄色光とが混色することで合成された合成光である白色の蛍光となる。蛍光体５で発生した白色の蛍光６１は、反射鏡３０の反射面（凹面）で反射された後、反射鏡３０の第２焦点に集光されるように進行する。このとき、本実施の形態では、反射鏡３０の第２焦点の手前に分光素子８が配置されているので、反射鏡３０で反射した白色の蛍光６１は、第２焦点には集光されず、分光素子８に入射することになる。
【０１２７】
本実施の形態でも、分光素子８は、蛍光体５から出射する蛍光を反射する特性を有するので、分光素子８に入射した蛍光６１は、分光素子８で反射する。具体的には、実施の形態１と同様に、分光素子８において反射した白色の蛍光６１は、入射面８ａとのなす角がαの角度の方向に反射して、白色の照明光６２として所定の被照射面に照射される。
【０１２８】
一方、蛍光体５に照射されたレーザ光５１の他の一部は、蛍光体５で吸収されない。蛍光体５に吸収されなかったレーザ光５２は、蛍光体５または反射基板９で反射された後に反射鏡３０の凹面で反射され、反射鏡３０を構成する回転楕円体の第２焦点に集光されるように進行する。このとき、本実施の形態では、この第２焦点の手前に分光素子８が配置されているので、反射鏡３０で反射したレーザ光５２は、分光素子８に入射することになる。
【０１２９】
本実施の形態においても、分光素子８は、半導体レーザ素子１からのレーザ光を透過する特性を有するので、分光素子８に入射したレーザ光５２は、分光素子８で反射されずに、分光素子８を透過する。つまり、分光素子８に入射したレーザ光５２は、分光素子８を透過して白色の照明光６２とは異なる方向に進行する。
【０１３０】
［まとめ］
以上、本実施の形態における発光装置４００は、実施の形態１、２と同様の構成を有する。したがって、実施の形態１、２と同様の効果を奏することができる。つまり、レーザ光５２が蛍光（照明光６２）の照射領域に漏洩することを抑制できる等の効果を奏する。
【０１３１】
また、本実施の形態における発光装置４００では、反射鏡３０にレーザ光５１を透過させるための開口が不要であることから、全方位的に出射する蛍光６１をさらに高効率に集光することができ、かつ反射鏡３０の第２焦点の手前に配置した分光素子８により、白色の照明光６２とレーザ光５２とに分離してそれぞれを異なる方向に出射させることができる。
【０１３２】
（実施の形態５）
次に、実施の形態５に係る照明装置５００について、図１１を用いて説明する。図１１は、実施の形態５に係る照明装置５００の概略構成を示す模式図である。
【０１３３】
実施の形態５に係る照明装置５００は、例えば、車輌用灯具として用いられるヘッドライトである。一般的に、１台の車輌の前部には、形状が対称である一組のヘッドライトが左右に搭載されている。
【０１３４】
図１１に示される照明装置５００は、一つのヘッドライトであり、２個の発光装置５０１、５０２を備えている。発光装置５０１、５０２は、固定具５０３内に設置されている。発光装置５０１、５０２としては、いずれも上記実施の形態３に係る発光装置３００の構成を有するものを用いている。
【０１３５】
なお、反射鏡３０の形状（凹部形状）または蛍光体５の位置を互いに異なる設計とすることにより、発光装置５０１を遠方照射用、発光装置５０２を広範囲照射用となるように最適化されていてもよい。
【０１３６】
発光装置５０１、５０２の半導体レーザ素子には、駆動回路５０４、５０５によって、所望の電流または電圧が印加される。駆動回路５０４、５０５は、制御回路５０６によって、ＯＮ／ＯＦＦ制御または駆動電流量の制御が行われる。制御回路５０６には、運転者または自動運転装置から、視界を確保するために必要な指示が出される。
【０１３７】
本実施の形態では、点光源である半導体レーザ素子を用いているため、ハロゲンランプまたはＬＥＤを用いた照明装置に比べて反射鏡を小さくすることができる。したがって、本実施の形態における照明装置５００は、小型化、薄型化および軽量化に適している。
【０１３８】
さらに、本実施の形態における照明装置５００は、上記実施の形態３の発光装置３００の構成を備えているので、蛍光体または分光素子などの構成部材の一部が破損した場合でも、分光素子によってレーザ光と蛍光（照明光）との出射方向を異ならせているので、照射路面などに有害なレーザ光が漏洩することを抑制できる。したがって、安全な車輌用灯具を実現できる。
【０１３９】
また、本実施の形態において、発光装置５０１、５０２の分光素子に、角度調整機能を付与してもよい。具体的には、分光素子は、分光素子に入射するレーザ光または蛍光の入射角を調整する機能を有しており、分光素子で分離された蛍光は、０°＜α＜９０°の範囲にて調整された所定の角度の方向に進行する。これにより、分光素子において蛍光を所望の方向に調整して進行させることができる。
【０１４０】
このように、分光素子に角度調整機能を持たせることで、車の進行方向に対して照明装置５００のビームを左右に容易に走査することが可能となり、カーブを曲がる際にも進行方向の路面等を的確に照射することができ、安全性を向上させることができる。
【０１４１】
なお、本実施の形態では、発光装置５０１、５０２として、実施の形態３の発光装置３００を用いたが、これに限らない。例えば、発光装置５０１、５０２として、他の実施の形態またはその変形例の照明装置を用いてもよい。また、本実施の形態では、照明装置として車輌用灯具を例に説明したが、本実施の形態は、建造物の照明機器等の照明装置にも適用することができる。
【０１４２】
（その他変形例等）
以上、本開示に係る発光装置および照明装置について、実施の形態および変形例に基づいて説明したが、本開示は、上記の実施の形態および変形例に限定されるものではない。
【０１４３】
例えば、上記実施の形態において、発光装置は、青色蛍光体と黄色蛍光体とによって白色光を放出するように構成したが、これに限らない。例えば、青色蛍光体と赤色蛍光体と緑色蛍光体とを用いて白色光を放出するように構成してもよいし、これ以外の組み合わせの蛍光体で白色光を放出するように構成してもよい。
【０１４４】
例えば、各実施の形態および変形例に対して当業者が思いつく各種変形を施して得られる形態や、本開示の趣旨を逸脱しない範囲で各実施の形態および変形例における構成要素および機能を任意に組み合わせることで実現される形態も本開示に含まれる。
【産業上の利用可能性】
【０１４５】
本開示の発光装置は、工場もしくは体育館等に用いられるスポット照明、店舗照明等の産業用照明、または、ヘッドライト等の車輌用照明等に適用することができる。
【符号の説明】
【０１４６】
１    半導体レーザ素子（レーザ光源）
２    ヒートシンク
３    集光レンズ
４    透明基板
５    蛍光体
６    投影レンズ
７    筐体
８    分光素子
８ａ    入射面
９    反射基板
２０、３０    反射鏡
２０ａ、３０ａ    開口
４０    センサ
５１、５２    レーザ光
６１    蛍光
６２    照明光
１００、２００、３００、３００Ａ、４００、５０１、５０２    発光装置
５００    照明装置
５０３    固定具
５０４、５０５    駆動回路
５０６    制御回路
【図１】
2017203977.tif 000003
【図２Ａ】
2017203977.tif 000004
【図２Ｂ】
2017203977.tif 000005
【図３】
2017203977.tif 000006
【図４】
2017203977.tif 000007
【図５】
2017203977.tif 000008
【図６】
2017203977.tif 000009
【図７】
2017203977.tif 000010
【図８】
2017203977.tif 000011
【図９】
2017203977.tif 000012
【図１０】
2017203977.tif 000013
【図１１】
2017203977.tif 000014
【図１２】
2017203977.tif 000015
【国際調査報告】
2017203977.tif 000016
2017203977.tif 000017
2017203977.tif 000018
2017203977.tif 000019